(57)【要約】【課題】バックライト光源への電源線の取り扱いを容易にし、断線及び破損を防止する。【解決手段】バックライト組立体５００は、バックライト光源１００、インバータモジュール６００と光源との間を接続する電源線２００、収納容器３００、電源線固定部材４００及び結合部３１０を含む。電源線固定部材４００は、収納容器の背面に配置され、電源線２００を固定する。結合部３１０は、収納容器に形成され、電源線固定部材４００を収納容器の背面に結合する。これにより、電源線を指定された位置に堅固に固定させることができるので、電源線の取り扱いを容易にし、断線及び破損を防止することができる。【選択図】図１
2006147543.tif 000002
【特許請求の範囲】
【請求項１】
光を発生させる光源と、
外部から前記光源に前記光を発生させるための電源を印加する電源線と、
前記光源を収納するための収納容器と、
前記収納容器の背面に配置され、前記電源線を固定する電源線固定部材と、
前記収納容器に形成され、前記電源線固定部材を前記収納容器の背面に結合する結合部と、
を含むことを特徴とするバックライト組立体。
【請求項２】
前記電源線固定部材は、側面から突出された少なくとも１個の固定突起を更に含み、前記固定突起は、前記結合部に結合され前記電源線固定部材を固定することを特徴とする請求項１記載のバックライト組立体。
【請求項３】
前記結合部は、前記固定突起が挿入されるように、前記固定突起それぞれに対応する前記底面の一部を切開して前記収納容器の背面に一体に形成された少なくとも１個の固定ブラケットであることを特徴とする請求項２記載のバックライト組立体。
【請求項４】
前記固定ブラケットは、第１固定片及び前記第１固定片に連結された第２固定片で構成され、前記第１固定片は、前記収納容器の背面に対して垂直方向に配置され、前記第２固定片は、前記固定突起と向き合うように配置されることを特徴とする請求項３記載のバックライト組立体。
【請求項５】
前記第２固定片及び前記収納容器の背面が形成する角度は、鋭角であることを特徴とする請求項４記載のバックライト組立体。
【請求項６】
前記角度は、４５°〜８５°であることを特徴とする請求項５記載のバックライト組立体。
【請求項７】
前記第２固定片の上には、前記固定突起に向かって突出された突出部が形成され、前記固定突起には前記突出部に結合される開口が形成され、前記固定部が前記開口に挿入されることによって、前記固定部材が前記収納容器の背面に結合されることを特徴とする請求項４記載のバックライト組立体。
【請求項８】
前記第２固定片の上には開口が形成され、前記固定突起には前記開口に結合される突出部が形成され、前記突出部が前記開口に挿入されることによって、前記固定部材が前記収納容器の背面に結合されることを特徴とする請求項４記載のバックライト組立体。
【請求項９】
前記固定突起は、前記第２固定片の離脱を抑制するためのリブを更に含むことを特徴とする請求項４記載のバックライト組立体。
【請求項１０】
前記固定部材によって前記収納容器の背面に形成された開口をカバーするために、前記固定突起の平面積は前記収納容器の背面に形成された開口の面積より大きいことを特徴とする請求項４記載のバックライト組立体。
【請求項１１】
前記電源線固定部材の第１側面には第１固定突起が突出され、前記第１側面と対向する第２側面には第２固定突起が突出され、前記第１及び第２固定突起に対応して挿入されるように、前記収納容器の背面には第１固定ブラケット及び第２固定ブラケットがそれぞれ形成されることを特徴とする請求項３記載のバックライト組立体。
【請求項１２】
前記電源線固定部材には締結溝が形成され、前記締結溝と対応する前記底面には第１貫通孔が形成され、前記電源線固定部材及び前記収納容器の背面は締結ねじによって互いに締結されることを特徴とする請求項１記載のバックライト組立体。
【請求項１３】
前記光源は光源カバーを更に含み、前記光源カバーには前記第１貫通孔と対応する第２貫通孔が形成され、前記光源カバーは前記締結ねじによって前記底面と締結されることを特徴とする請求項１２記載のバックライト組立体。
【請求項１４】
前記電源線固定部材は、前記収納容器の背面と接触する第１面、及び前記第１面と対向する第２面を含み、前記第２面には前記電源線を固定するための固定溝が形成されることを特徴とする請求項１記載のバックライト組立体。
【請求項１５】
前記電源線固定部材は、前記電源線が前記固定溝から離脱することを抑制するために、前記固定溝の内側壁から突出された離脱防止突起を更に含むことを特徴とする請求項１４記載のバックライト組立体。
【請求項１６】
前記結合部は、前記電源線固定部材を固定するために、前記収納容器の背面から突出された少なくとも１個の結合突起であることを特徴とする請求項１記載のバックライト組立体。
【請求項１７】
前記結合突起は、前記電源線固定部材の両側側面と密着されるように、一対が前記収納容器の背面からそれぞれ突出されることを特徴とする請求項１６記載のバックライト組立体。
【請求項１８】
前記電源線固定部材は、前記電源線固定部材の側面から前記結合突起と向き合うように突出された固定突起を更に含み、前記固定突起には、前記結合突起と対応する開口が形成されることを特徴とする請求項１６記載のバックライト組立体。
【請求項１９】
前記結合部は、前記収納容器の背面から切開され前記電源線固定部材の側壁と向き合うように折曲された第１固定片、及び前記第１固定片から前記電源線固定部材の上面をグリップするために折曲された第２固定片を含むことを特徴とする請求項１記載のバックライト組立体。
【請求項２０】
前記結合部は、前記電源線固定部材の対向する２つの側面にそれぞれ形成された２つのブラケットを含むことを特徴とする請求項１９記載のバックライト組立体。
【請求項２１】
前記結合部は、前記電源線固定部材の対向する２つの側面にそれぞれ形成された２つの突起を含むことを特徴とする請求項１９記載のバックライト組立体。
【請求項２２】
前記電源線固定部材の対向する側壁からは第１及び第２固定突起がそれぞれ突出され、前記第１固定突起は前記収納容器の背面から切開され形成された固定ブラケットと結合され、前記第２固定突起は開口が形成され、前記開口に対応する前記収納容器の背面には前記開口と結合される結合突起が形成されることを特徴とする請求項１記載のバックライト組立体。
【請求項２３】
前記収納容器の背面には、前記電源線固定部材に挿入される突起が突出され、前記突起と対応する前記電源線固定部材には、前記突起と結合される開口が形成されることを特徴とする請求項１記載のバックライト組立体。
【請求項２４】
前記収納容器の背面には、前記電源線固定部材と結合するための開口が形成され、前記電源線固定部材には前記開口と結合される突起が形成されることを特徴とする請求項１記載のバックライト組立体。
【請求項２５】
前記収納容器は、前記電源線に前記電源を提供するためのインバータを含むインバータモジュールを更に含むことを特徴とする請求項１記載のバックライト組立体。
【請求項２６】
前記収納容器の背面は、前記インバータモジュールを前記収納容器の背面から離隔させる少なくとも２個のボスを更に含むことを特徴とする請求項２５記載のバックライト組立体。
【請求項２７】
前記ボスには、前記インバータモジュールを固定するための突起がそれぞれ形成され、前記インバータモジュールには前記突起と結合される開口が形成されることを特徴とする請求項２６記載のバックライト組立体。
【請求項２８】
前記インバータモジュールは、前記インバータモジュールから発生した電磁波を遮蔽するシールドケースを更に含むことを特徴とする請求項２５記載のバックライト組立体。
【請求項２９】
前記シールドケースは、前記底面と向き合うケース底面、及び前記ケース底面のエッジに配置され、底面に対して実質的に垂直なケース側壁を含み、前記側壁のうち、前記底面と向き合う端部は、前記底面から離隔されることを特徴とする請求項２８記載のバックライト組立体。
【請求項３０】
光を発生させる光源、外部から前記光源に前記光を発生させるための電源を印加する電源線、前記光源を収納するための収納容器、前記収納容器の背面に配置され、前記電源線を固定する電源線固定部材、及び前記収納容器に形成され前記電源線固定部材を前記収納容器の背面に固定させる結合部を含むバックライト組立体と、
前記収納容器に収納され、前記光に基づいて画像を発生する表示パネルと、
を含むことを特徴とする表示装置。
【請求項３１】
前記電源線固定部材は、前記収納容器の背面と接触するように、前記電源線固定部材の側面から突出された少なくとも１個の固定突起を更に含むことを特徴とする請求項３０記載の表示装置。
【請求項３２】
前記結合部は、前記各固定突起が挿入されるように、前記各固定突起に対応する前記収納容器の背面の一部を切開して形成された固定ブラケットであることを特徴とする請求項３１記載の表示装置。
【請求項３３】
前記固定ブラケットは、第１固定片及び前記第１固定片に連結された第２固定片を含み、前記第１固定片は、前記収納容器の背面に対して実質的に垂直な方向に配置され、前記第２固定片は、前記固定突起と向き合うように配置されることを特徴とする請求項３２記載の表示装置。
【請求項３４】
前記第２固定片及び前記収納容器の背面が形成する角度は、鋭角であることを特徴とする請求項３３記載の表示装置。
【請求項３５】
前記角度は、４５°〜８５°であることを特徴とする請求項３４記載の表示装置。
【請求項３６】
前記第２固定片の上には、前記固定突起に向かって突出された突出部が形成され、前記固定突起には、前記突出部に結合される開口が形成されることを特徴とする請求項３３記載の表示装置。
【請求項３７】
前記第２固定片には開口が形成され、前記固定突起上には前記開口に結合される突出部が形成されることを特徴とする請求項３３記載の表示装置。
【請求項３８】
前記固定突起は、前記第２固定片の離脱を抑制するためのリブを更に含むことを特徴とする請求項３３記載の表示装置。
【請求項３９】
前記固定部材によって前記収納容器の背面に形成された開口を密封するために、前記固定突起の平面積は前記収納容器の背面に形成された開口の面積より大きいことを特徴とする請求項３３記載の表示装置。
【請求項４０】
前記電源線固定部材の第１側面から第１固定突起が前記収納容器に突出され、前記第１側面と対向する第２側面から第２固定突起が突出され、前記第１及び第２固定突起に対応して挿入されるように、前記収納容器の背面には第１固定ブラケット及び第２固定ブラケットがそれぞれ形成されることを特徴とする請求項３２記載の表示装置。
【請求項４１】
前記電源線固定部材には第１貫通孔が形成され、前記第１貫通孔と対応する前記収納容器の背面には第２貫通孔が形成され、前記固定部材及び前記収納容器の背面は、締結ねじによって互いに結合されることを特徴とする請求項３０記載の表示装置。
【請求項４２】
前記光源は光源カバーを更に含み、前記光源カバーには前記第１貫通孔と対応する第３貫通孔が形成され、前記光源カバーは、前記締結ねじによって前記収納容器の背面に結合されることを特徴とする請求項４１記載の表示装置。
【請求項４３】
前記結合部は、前記電源線固定部材を固定するために、前記底面から突出された少なくとも１個の結合突起であることを特徴とする請求項３０記載の表示装置。
【請求項４４】
前記結合突起は、前記固定部材の両側に一対が形成されることを特徴とする請求項４３記載の表示装置。
【請求項４５】
前記電源線固定部材は、前記電源線固定部材の側面から前記突出部に向かって突出された固定突起を更に含み、前記固定突起には前記突出部と対応する位置に形成された開口が形成されることを特徴とする請求項４３記載の表示装置。
【請求項４６】
前記固定部材は、合成樹脂を含むことを特徴とする請求項４３記載の表示装置。
【請求項４７】
前記合成樹脂は、熱可塑性樹脂又は熱硬化性樹脂であることを特徴とする請求項４６記載の表示装置。
【請求項４８】
前記熱可塑性樹脂は、ポリオレフィン、ポリアミド、ポリカーボネート、ポリエステル、ポリイミド、ポリアクリレート、ポリメタアクリレート、又はそれらの混合物であることを特徴とする請求項４７記載の表示装置。
【請求項４９】
前記熱硬化性樹脂は、ポリシロキサン、エポキシ、ペノル樹脂、ポリウレタン、又はそれらの混合物であることを特徴とする請求項４７記載の表示装置。
【請求項５０】
前記合成樹脂は、ガラス繊維、炭素繊維、ナノチューブ、酸化チタン、マイカ、粘土、又はそれら結合物を更に含むことを特徴とする請求項４６記載の表示装置。
【発明の詳細な説明】
【技術分野】
【０００１】
本発明は、バックライト組立体及びそれを有する表示装置に関し、より具体的には、光源に接続された電源線及び収納容器の固定構造を改善したバックライト組立体及びそれを有する表示装置に関する。
【背景技術】
【０００２】
液晶表示装置は液晶を用いて画像を表示するが、該液晶は、電場の方向に対応して配列が変更される電気的特性及び配列に対応して光の透過率が変更される光学的特性を有する。
液晶表示装置によって画像を表示するためには、液晶の配列を制御する液晶制御部、及び液晶に光を提供する光提供部を必要とする。
【０００３】
液晶表示装置の光提供部は、光を発生する光源を含む。液晶表示装置に使用される光源の例として、冷陰極線管ランプ（ＣＣＦＬ）、発光ダイオード（ＬＥＤ）又は平板蛍光ランプ（ＦＦＬ）などを挙げることができる。
液晶表示装置に含まれた光源から光を発生するために、光源に電源から電源電圧が提供され、そのために電源線（電源供給線）が使用される。
【発明の開示】
【発明が解決しようとする課題】
【０００４】
しかし、従来の液晶表示装置の電源線は取り扱いが難しく、電源線の破損及び損傷が頻繁に発生するという問題点を有する。
このような理由から、従来の液晶表示装置の電源線は、接着テープなどによって固定されるが、接着テープからレジンが漏れ出し周辺を汚染してしまい、また、接着テープで電源線を固定するための工程によって液晶表示装置の製造工程数が増加されるという他の問題点を有する。
【０００５】
従って、本発明は、従来技術による上記した１又は複数の問題点に鑑みてなされたものである。
本発明による第１の目的は、光源に電源を提供する電源線をより堅固に固定することにより、電源線の破損及び損傷を減少させたバックライト組立体を提供することにある。
本発明の第２の目的は、前記バックライト組立体を有する表示装置を提供することにある。
【課題を解決するための手段】
【０００６】
このような本発明の第１の目的を達成するために、本発明によるバックライト組立体は、光源、電源線、収納容器、電源線固定部材及び結合部を含む。光源は光を発生させ、電源線は外部から光源に光を発生させるための電源を印加する。収納容器は光源を収納し、電源線固定部材は収納容器の背面に配置され電源線を固定する。結合部は、収納容器に形成され電源線固定部材を収納容器の背面に結合する。
【０００７】
また、本発明の第２の目的を達成するために、本発明による表示装置は、光源、電源線、収納容器、電源線固定部材、結合部及び表示パネルを含む。光源は光を発生させ、電源線は外部から光源に光を発生させるための電源を印加する。収納容器は光源を収納し、電源線固定部材は収納容器の背面に配置され電源線を固定する。結合部は、収納容器に形成され電源線固定部材を収納容器の背面に固定させる。表示パネルは、収納容器に収納され光に基づいて画像を表示する。
【発明の効果】
【０００８】
本発明によると、光源に電源を提供する電源線が収納容器の背面の指定された位置に固定させることができるので、電源線の断線及び電源線が破損されることを減少させることができる。
【発明を実施するための最良の形態】
【０００９】
以下、図面を参照して本発明の望ましい実施例をより詳細に説明する。
まず、バックライト組立体について説明する。
本発明によるバックライト組立体は、光源、電源線、収納容器、電源線固定部材及び結合部を含む。
光源は画像を表示するための光を発生し、電源線は外部から光源に光を発生させるための電源を印加する。収納容器は光源を収納し、電源線固定部材は収納容器の背面に配置され電源線を収納容器の背面に固定する。結合部は、収納容器に一体に形成され電源線固定部材を収納容器の背面に結合する。本発明による結合部は、収納容器の背面の一部を切開又は収納容器の背面の一部を突出させ電源線固定部材を収納容器の背面に結合させる。
【００１０】
第１実施例
図１は、本発明の第１実施例によるバックライト組立体の背面からみた分解斜視図である。図２は、本発明の図１に示したバックライト組立体の背面図である。図３は、図２に示されたバックライト組立体のＩ−Ｉ’線に沿って切断した断面図である。
図１〜図３に示すように、バックライト組立体５００は、光源１００、電源線２００、収納容器３００、電源線固定部材４００、及び収納容器３００に一体に形成された結合部３１０を含む。
【００１１】
本実施例による光源１００は、望ましくは放電によって太陽光と類似した白色光を発生し、光の発生中、発熱量が白熱灯に比べて顕著に小さい冷陰極線管ランプである。これとは異なり、本実施例による光源１００は、平板蛍光ランプ又は発光ダイオードを使用しても良い。
電源線２００は、外部から提供された電源を光源１００に伝達する。電源線２００によって伝達された電源（電源電圧）によって、光源１００から光が発生される。本実施例による電源線２００は、例えば、導電線及び導電線の外側面に取り囲まれた被覆からなる。
本実施例において、光源１００が冷陰極線管ランプである場合、電源線２００は、冷陰極線管ランプの両側端部に配置された電極に電気的に接続される。
【００１２】
収納容器３００は、光源１００を収納する。本実施例による収納容器３００は、例えば、底面３０２及び側壁３０４を含む。
本実施例による収納容器３００の底面３０２は、例えば、矩形プレート形状を有し、収納容器３００の側壁３０４は、例えば、底面３０２の縁に形成され、それにより、収納容器３００には収納空間が形成される。
光源１００は、収納容器３００の側面３０４のうち、少なくとも一つの側壁３０４に形成される。例えば、光源１００は、収納容器３００の側壁３０４のうちいずれか一つに形成されてもよい。これとは異なり、光源１００は、収納容器３００の側壁３０４のうち相互向き合う２つの側壁に形成されてもよく、又は収納容器３００の側壁３０４全てに形成されてもよい。
【００１３】
図４は、本発明の第１実施例による電源線固定部材の斜視図である。図５は、図４に示された電源線固定部材ＩＩ−ＩＩ’線に沿って切断した断面図である。
図４及び図５に示すように、電源線固定部材４００は、収納容器３００の背面に配置される。電源線固定部材４００は、光源１００に電気的に結合された電源線２００を１次的に固定する。
【００１４】
電源線固定部材４００は、合成樹脂物質からなり、望ましくは、直方面体形状を有する。電源線固定部材４００は、収納容器３００の背面と接触する第１面４４０、第１面４００と対向する第２面４３０、第１面４４０と第２面４３０とを相互連結する第１側面４１０及び第２側面４２０を含む。
電源線固定部材４００の第１側面４１０及び第２側面４２０の少なくとも一方から、少なくとも一つの固定突起４０２が突出される。固定突起４０２は、電源線固定部材４００の第１側面４１０の厚さよりは薄い厚さを有するプレート形状を有する。本実施例において、固定突起４０２は、望ましくは第１側面４１０及び第２側面４２０からそれぞれ突出される。
【００１５】
図５に示すように、電源線固定部材４００の第２面４３０には、望ましくは電源２００を固定するための固定溝４３２が形成される。固定溝４３２は適宜の形状を有する。本実施例による固定溝４３２は、外部から電源線２００に張力が加えられたときに電源線２００が断線されることを防止するために、蛇行形状を有することが望ましい。
【００１６】
図６は、図４に示された電源線固定部材の‘Ａ’部分の拡大図である。
図４及び図６に示すように、電源線固定部材４００に形成された固定溝４３２の内部に固定された電源線２００が、電源線固定部材４００の第２面４３０から離脱されることを防止するために、固定溝４３２の内側面からは離脱防止突起４３４が突出される。離脱防止突起４３４は、固定溝４３２の内側面に少なくとも一つが所定間隔で離隔されて形成される。
【００１７】
図７は、本発明の第１実施例による結合部を示す斜視図である。
図４に示すように、固定突起４０２は、収納容器３００の底面３０２と平行な方向に小面積を有するプレート形状に突出されることが望ましい。本実施例による固定突起４０２は、後述される結合部３１０に結合され、固定突起４０２及び結合部３１０によって、電源固定部材４００は収納容器３００の底面３０２上に固定される。
【００１８】
結合部３１０は、収納容器３００の底面３０２上に一体に形成される。本実施例において、結合部３１０は、底面３０２上に形成された固定ブラケットである。以下、固定ブラケットに参照符号３１０を付与する。本実施例において、固定ブラケット３１０は、電源線固定部材４００の第１及び第２側面４１０、４２０から突出された固定突起４０２に対応する箇所にそれぞれ形成される。
【００１９】
固定ブラケット３１０は、第１固定片３１２及び第２固定片３１４を有する。第１固定片３１２及び第２固定片３１４は、底面３０２の一部を切開した後、折曲して形成される。第１固定片３１２は、底面３０２に対して実質的に垂直な方向に配置され、第２固定片３１４は、第１固定片３１２の一部を底面３０２と向き合うように、折曲して形成される。本実施例において、第２固定片３１４は、電源線固定部材４００の固定突起４０１が挿入される方向に折曲される。
【００２０】
本実施例において、固定ブラケット３１０は、収納容器３００の底面３０２の一部を切開して形成されるので、収納容器３００の底面３０２には開口が形成される。底面３０２に開口が形成される場合、収納容器３００の内部に異物質が流入されてしまう。本実施例においては、開口を通じて収納容器３００の内部に異物質が流入されないように、固定突起４０２の平面積は底面３０２に形成された開口の面積より大きい。
本実施例において、電源線固定部材４００の固定突起４０２は、固定ブラケット３１０に挿入され固定されることで、電源線２００を２次的に収納容器３００の底面３０２に堅固に固定させる。
【００２１】
第２実施例
図８は、本発明の第２実施例によるバックライト組立体の電源線固定部材及び結合部を示した断面図である。本発明の第２実施例によるバックライト組立体は、結合部を除いて第１実施例のバックライト組立体と同一である。従って、同一の構成要素については第１実施例と同一の参照番号で示し、その重複説明を省略する。
【００２２】
図８に示すように、結合部３２０は、収納容器３００の底面３０２上に一体に形成される。本実施例において、結合部３２０は、底面３０２上に形成された固定ブラケットである。以下、固定ブラケットに参照番号３２０を付与することにする。本実施例において、固定ブラケット３２０は、電源線固定部材４００の第１及び第２側面４１０、４２０から突出された固定突起４０２に対応する箇所に、それぞれ形成される。
【００２３】
固定ブラケット３２０は、第１固定片３２２及び第２固定片３２４を有する。第１固定片３２２及び第２固定片３２４は、底面３０２の一部を切開した後、折曲して形成される。第１固定片３２２は、底面３０２に対して実質的に垂直な方向に配置され、第２固定片３２４は、第１固定片３２２の一部を底面３０２と向き合うように折曲して形成される。本実施例において、第２固定片３２４は、電源線固定部材４００の固定突起４０２が挿入される方向に折曲される。
【００２４】
本実施例において、第２固定片３２４は、電源線固定部材４００の固定突起４０２の上面を抑えるように、第１固定片３２２から折曲される。従って、第２固定片３２４及び収納容器３００の底面３０２は、鋭角を成す。望ましくは、第２固定片３２４及び収納容器３００の底面３０２の交差角θは、約４５°〜８５°であることが望ましい。
収納容器３００の底面３０２に対して鋭角を有する第２固定片３２４は、固定突起４０２の上面と接触するか、固定突起４０２の上面から離間する。
【００２５】
本実施例において、電源線固定部材４００の固定突起４０２が固定ブラケット３２０に挿入され固定されることで、電源線２００を、電源線固定部材４００を媒介として収納容器３００の底面３０２に２次的に堅固に固定させることができる。
【００２６】
第３実施例
図９は、本発明の第３実施例によるバックライト組立体の電源線固定部材及び結合部を示した断面図である。本発明の第３実施例によるバックライト組立体は、結合部を除いて第１実施例のバックライト組立体と同一である。従って、同一の構成要素に対しては第１実施例と同一の参照番号で示し、その重複説明を省略する。
【００２７】
図９に示すように、結合部３３０は、収納容器３００の底面３０２上に一体に形成される。本実施例において、結合部３３０は、底面３０２上に形成された固定ブラケットである。以下、固定ブラケットに参照符号３３０を付与することにする。本実施例において、固定ブラケット３３０は、電源線固定部材４００の第１及び第２側面４１０、４２０から突出された固定突起４０２に対応する箇所に、それぞれ形成される。
【００２８】
固定ブラケット３３０は、第１固定片３３２及び第２固定片３３４を有する。第１固定片３３２及び第２固定片３３４は、底面３０２の一部を切開した後、折曲して形成される。第１固定片３３２は、底面３０２に対して実質的に垂直な方向に配置され、第２固定片３３４は、第１固定片３３４の一部を底面３０２と向き合うように、折曲して形成される。本実施例において、第２固定片３３４は、電源線固定部材４００の固定突起４０２が挿入される方向に折曲される。
【００２９】
固定突起４０２は、固定ブラケット３３０から離脱されることを防止するために第２固定片３３４には突出部３３４ａが形成され、固定突起４０２には開口４０２ａが形成される。望ましくは、第２固定片３３４に形成された突出部３３４ａは、第２固定片３３４の一部を切開した後、折曲して形成される。固定突起４０２に形成された開口４０２ａは、突出部３３４ａと向き合うように、固定突起４０２の上面に形成されたリセスすなわち凹部である。
【００３０】
本実施例のように、第２固定片３３４に突出部３３４ａを形成し、固定突起４０２に開口４０２ａを形成する場合、電源線固定部材４００を、１個の固定突起４０２及び１個の固定ブラケット３３０によって、収納容器３００に堅固に固定させることができる。
【００３１】
第４実施例
図１０は、本発明の第４実施例によるバックライト組立体の電源線固定部材及び結合部を示した断面図である。本発明の第４実施例によるバックライト組立体は、結合部を除いて第１実施例のバックライト組立体と同一である。従って、同一の構成要素に対しては第１実施例と同一の参照番号で示し、その重複説明は省略することにする。
【００３２】
図１０に示すように、結合部３４０は、収納容器３００の底面３０２上に一体に形成される。本実施例において、結合部３４０は、底面３０２上に形成された固定ブラケットである。以下、固定ブラケットに参照符号３４０を付与することにする。本実施例において、固定ブラケット３４０は、電源線固定部材４００の第１及び第２側面４１０、４２０から突出された固定突起４０２に対応する箇所に、それぞれ形成される。
【００３３】
固定ブラケット３４０は、第１固定片３４２及び第２固定片３４４を有する。第１固定片３４２及び第２固定片３４４は、底面３０２の一部を切開した後、折曲して形成される。第１固定片３４２は、底面３０２に対して実質的に垂直な方向に配置され、第２固定片３４４は、第１固定片３４４の一部を底面３０２と向き合うように、折曲して形成される。本実施例において、第２固定片３４４は、電源線固定部材４００の固定突起４０２が挿入される方向に折曲される。
【００３４】
固定突起４０２が固定ブラケット３４０から離脱されることを防止するために、第２固定片３４４には開口３４４ａが形成され、固定突起４０２には突出部４０２ｂが形成される。望ましくは、第２固定片３４４に形成された開口３４４ａは、第２固定片３４４の一部に形成された貫通孔である。固定突起４０２に形成された突出部４０２ｂは、開口３４４ａと向き合い、固定突起４０２の上面から突出される。
【００３５】
本実施例のように、第２固定片３４４に開口３４４ａを形成し、固定突起４０２に突出部４０２ｂを形成する場合、電源線固定部材４００を、１個の固定突起４０２及び１個の固定ブラケット３４０によって、収納容器３００に堅固に固定させることができる。
【００３６】
第５実施例
図１１は、本発明の第５実施例によるバックライト組立体の電源線固定部材及び結合部を図示した斜視図である。図１２は、図１１に示された電源線固定部材及び結合部のＩＩＩ−ＩＩＩ’線に沿って切断した断面図である。本発明の第５実施例によるバックライト組立体は、電源線固定部材を除いて第１実施例のバックライト組立体と同一である。従って、同一の構成要素に対しては第１実施例と同一の参照番号で示し、その重複説明は省略することにする。
【００３７】
図１１及び図１２に示すように、電源線固定部材４００は、収納容器３００の背面に配置される。電源線固定部材４００は、光源１００に電気的に接続された電源線２００を１次的に固定する。
電源線固定部材４００は、合成樹脂物質からなり、望ましくは直六面体形状を有する。
【００３８】
電源線固定部材４００は、例えば、ポリオレフィン、ポリアミド、ポリカーボネート、ポリエステル、ポリイミド、ポリアクリレート、ポリメタアクリレート又はそれらの混合物である熱可塑性樹脂を含むことができる。これとは異なり、固定部材４００は、ポリシロキサン、エポキシ、フェノール樹脂、ポリウレタン又はそれらの混合物のような熱硬化性樹脂を含むことができる。
また、電源線固定部材４００を形成する合成樹脂は、ガラス繊維、炭素繊維、ナノチューブ、酸化チタン、マイカ、粘土又はそれらの結合物をさらに含むことができる。
【００３９】
電源線固定部材４００は、収納容器３００の背面と接触する第１面４４０、第１面４４０と対向する第２面４３０、第１面４４０及び第２面４３０を相互連結する第１側面４１０及び第２側面４２０を含む。
電源線固定部材４００の第１側面４１０及び第２側面４２０の少なくとも一方から、少なくとも一つの１個の固定突起４０２が突出される。固定突起４０２は、電源線固定部材４００の第１側面４１０よりも薄い厚さを有するプレート形状を有する。本実施例において、固定突起４０２は、望ましくは第１側面４１０及び第２側面４２０からそれぞれ突出される。
【００４０】
固定突起４０２は、第１固定片３１２及び第２固定片３１４からなる固定ブラケット３１０に結合され、固定突起４０２は、固定ブラケット３１０から固定突起４０２が離脱されることを防止するためのリブ４０４が形成される。望ましくは、固定突起４０２に形成されたリブ４０４は、固定突起４０２の上面から実質的に垂直な方向に突出されることが望ましい。
【００４１】
本実施例のように、電源線固定部材４００の固定突起４０２にリブ４０４を形成することにより、１個の固定突起４０２及び１個の固定ブラケット３０４によって、電源線固定部材４００を、収納容器３００に堅固に固定することができる。
【００４２】
第６実施例
図１３は、本発明の第６実施例によるバックライト組立体を示した断面図である。本発明の第６実施例によるバックライト組立体は、電源線固定部材及び収納容器の結合構造を除いて第１実施例のバックライト組立体と同一である。従って、同一の構成要素に対しては第１実施例と同一の参照番号で示し、その重複説明は省略することにする。
【００４３】
図１３に示すように、電源線固定部材４００は、固定突起４０２及び収納容器３００の底面３０２に形成された固定ブラケット３１０によって１次的に固定されるが、外部から加えられた振動又は衝撃によって固定突起４０２は固定ブラケット３１０から離脱されることがある。本実施例においては、固定突起４０２が固定ブラケット３１０から離脱されることを防止するために、電源線固定部材４００は、収納容器３００の底面３０２にネジで締結される。
【００４４】
電源線固定部材４００を収納容器３００の底面３０２にネジで締結するために、電源線固定部材４００のうち収納容器３００の底面３０２と向き合う第１面４４０には締結溝４４２が形成され、締結溝４４２と対応する底面３０２には第１貫通孔３０５が形成される。電源線固定部材４００は、締結ネジ３０６によって底面３０２に締結される。
【００４５】
一方、光源１００は光源１００で放射上に発生された光を集光する光源カバー１１２をさらに含むことができる。
光源カバー１１２は、収納容器３００の底面３０２と接触する第１カバー面１１２ａ、収納容器３００の側壁３０４と接触する第２カバー面１１２ｂ及び第１カバー面１１２ａと向き合う第３カバー面１１２ｃを含む。
光源カバー１１２の第１カバー面１１２ａは、第１貫通孔３０５と対応する位置に形成された第２貫通孔１１２ｄをさらに含み、締結ネジ３０５によって、光源カバー１１２、収納容器３００の底面３０２及び電源線固定部材４００は締結される。
【００４６】
本実施例によると、電源線固定部材４００を、１個の締結ネジ３０６及び少なくとも一つの固定突起４０２及び少なくとも一つの固定ブラケット３１０によって、収納容器３００の底面３０２に堅固に固定させることができる。
【００４７】
第７実施例
図１４は、本発明の第７実施例によるバックライト組立体を示した斜視図である。図１５は、図１４に示されたバックライト組立体をＩＶ−ＩＶ’線に沿って切断した断面図である。本発明の第７実施例によるバックライト組立体は、結合部を除いて第１実施例のバックライト組立体と同一である。従って、同一の構成要素については第１実施例と同一の参照番号で示し、その重複説明を省略する。
【００４８】
図１４及び図１５に示すように、収納容器３００の底面３０２には電源線固定部材４００が配置され、底面３０２には電源線固定部材４００が底面３０２から離脱されないように、一対の結合部３５０が形成される。本実施例による結合部３５０は、電源線固定部材４００の第１側壁４１０及び第２側壁４２０にそれぞれ密着される。図１５に示すように、結合部３５０の突出構造は、逆Ｖ字形状を有する。しかし、他の適切な構造、例えば、逆Ｕ字形状、逆Ｗ字形状、Ｍ字形状などを有することも可能である。
【００４９】
本実施例において、結合部３５０は、底面３０２から一体に形成され、底面３０２の内側面から外側面に向かって突出される。以下、本実施例においては、結合部３５０を結合突起と称し、結合突起に参照符号３５０を付与する。
結合突起３５０の間の幅は、電源線固定部材４００の第１側面４１０と第２側面４２０との間の幅と同一であるか又は多少狭く形成されることが望ましい。固定突起４００が結合突起３５０の間に配置されると、固定部材４００と結合突起３５０との間に摩擦に起因して、固定部材４００をその配置位置にあるように保持させることができる。
【００５０】
本実施例において、収納容器３００の底面３０２に電源線固定部材４００を固定する結合突起３５０を形成することにより、電源線固定部材４００が底面３０２から分離されることを防止することができるだけではなく、底面３０２から収納容器３００の内部に異物質が流入されることも同時に防止することができる。
【００５１】
第８実施例
図１６は、本発明の第８実施例によるバックライト組立体を示した斜視図である。図１７は、図１６に示されたバックライト組立体をＶ−Ｖ’線に沿って切断した断面図である。本発明の第８実施例によるバックライト組立体は、結合部及び固定突起を除いて第１実施例のバックライト組立体と同一である。従って、同一の構成要素に対しては第１実施例と同一の参照番号で示し、その重複説明を省略する。
【００５２】
図１６及び図１７に示すように、電源線固定部材４００は、収納容器３００の背面に配置される。電源線固定部材４００は、光源１００に電気的に接続された電源線２００を１次的に固定する。
電源線固定部材４００は、合成樹脂物質からなり、望ましくは、直六面体形状を有する。電源線固定部材４００は、収納容器３００の背面と接触する第１面４４０、第１面４４０と対向する第２面４３０、第１面４４０及び第２面４３０を相互連結する第１側面４１０及び第２側面４２０を含む。
【００５３】
電源線固定部材４００の第１側面４１０及び第２側面４１０の少なくとも一方から、少なくとも一つの固定突起４０６が突出される。固定突起４０６は、電源線固定部材４００の第１側面４１０よりは薄い厚さを有するプレート形状を有する。本実施例においては、固定突起４０６は、望ましくは第１側面４１０及び第２側面４２０からそれぞれ突出される。
【００５４】
電源線固定部材４００の第１側面４１０及び第２側面４２０からそれぞれ突出された固定突起４０６にはそれぞれ、底面３０２と連結された開口４０６ａが形成される。本実施例において、開口４０６ａは、望ましくは貫通孔である。
一方、収納容器３００の底面３０２には、底面３０２の内側面から外側面に向かって突出された結合突起３５０が形成される。結合突起３５０の位置は、電源線固定部材４００に形成された固定突起４０６が形成された開口４０６ａと結合する位置である。
【００５５】
このように、底面３０２に形成された結合突起３５０及び電源線固定部材４００に形成された開口４０６ａが結合されることにより、電源線固定部材４００は底面３０２に堅固に結合され、電源線２００は電源線固定部材４００に堅固に結合される。
【００５６】
第９実施例
図１８は、本発明の第９実施例によるバックライト組立体を示した斜視図である。図１９は、図１８に示されたバックライト組立体をＩＶ−ＩＶ’線に沿って切断した断面図である。本発明の第９実施例によるバックライト組立体は、結合部を除いて第１実施例のバックライト組立体と同一である。従って、同一の構成要素については第１実施例と同一の参照番号で示しその重複説明を省略することにする。
【００５７】
図１８及び図１９に示すように、電源線固定部材４００は、収納容器３００の底面３０２に配置され、電源線２００を固定し、結合部３６０は、電源線固定部材４００を収納容器３００の底面３０２に固定する。
結合部３６０は、第１固定片３６２及び第２固定片３６４からなる。第１固定片３６２は、収納容器３００の底面３０２を切開して形成され、第２固定片３６４は、第１固定片３６２の一部を折曲して形成される。
【００５８】
本実施例において、第１固定片３６２は、電源線固定部材４００の第１側面４１０及び/又は第２側面４２０と向き合うように配置され、第２固定片３６４は、電源線固定部材４００の第２面４３０と向き合うように配置される。
第１固定片３６２は、電源線固定部材４００の第１側面４１０及び第２側面４２０の少なくとも一方を固定させ、第２固定片３６４は、電源線固定部材４００の第２面４３０をグリップする。
従って、第１及び第２固定片３６２、３６４によって、電源線固定部材４００は、収納容器３００の底面３０２で左右への動き及び底面３０２に対して上部への動きが完全に制限される。
【００５９】
第１０実施例
図２０は、本発明の第１０実施例によるバックライト組立体を示した斜視図である。図２１は、図２０に示されたバックライト組立体をＶＩＩ−ＶＩＩ’線に沿って切断した断面図である。本発明の第１０実施例によるバックライト組立体は、結合部及び固定突起を除いて第１実施例のバックライト組立体と同一である。従って、同一の構成要素については第１実施例と同一の参照番号で示し、その重複説明を省略する。
【００６０】
図２０及び図２１に示すように、収納容器３００の底面３０２には、電源線固定部材４００が配置される。電源線固定部材４００は、直六面体形状を有し、第１側面４１０、第１側面４１０と対向する第２側面４２０、収納容器３００の底面３０２と接触する第１面４４０及び第１面４４０と対向する第２面４３０を含む。
【００６１】
電源線固定部材４００の第１側面４１０及び第２側面４２０の少なくとも一方には、固定突起４０７が突出される。望ましくは、固定突起４０７は、第１側面４１０及び／又は第２側面４２０から、収納容器３００の底面３０２と平行に突出される。
本実施例において、第１側面４１０から突出された固定突起４０７には、貫通孔４０７ａが形成される。これとは異なり、貫通孔４０７ａは、第２側面４２０から突出された固定突起４０７に形成されてもよい。
【００６２】
一方、収納容器３００の底面３０２には、結合部３０７、３０８が形成される。第１側面４１０から突出された固定突起４０７と対応する結合部３０７は、収納容器３００の底面３０２から突出された結合突起である。また、第２側面４２０から突出された固定突起４０７と対応する結合部３０８は、収納容器３００の底面３０２を切開して形成された固定ブラケットである。
【００６３】
このように、底面３０２に形成された結合部３０７、３０８及び電源線固定部材４００に形成された固定突起４０７が相互結合されることにより、電源線固定部材４００は底面３０２に堅固に結合され、電源線２００は電源線固定部材４００に堅固に結合される。
【００６４】
第１１実施例
図２２は、本発明の第１１実施例によるバックライト組立体を示した分解斜視図である。図２３は、図２２に示されたバックライト組立体を組み立てた状態の、ＶＩＩＩ−ＶＩＩＩ’線に沿った断面図である。本発明の第１１実施例によるバックライト組立体は、結合部及び電源線固定部材を除いて第１実施例のバックライト組立体と同一である。従って、同一の構成要素については第１実施例と同一の参照番号で示し、その重複説明を省略することにする。
【００６５】
図２２及び図２３に示すように、収納容器３００の底面３０２には、突出部３０８が形成される。突出部３０８は、底面３０２の内側から底面３０２の外側に突出される。本実施例において、突出部３０８は、底面３０２から少なくとも２ヶ所以上突出されることが望ましい。本実施例において、突出部３０８は底面３０２の４ヶ所から突出される。
【００６６】
一方、収納容器３００の底面３０２に配置された電源線固定部材４００の第１面４４０には、収納容器３００の底面３０２から突出された突出部３０８に結合される開口４４２が形成される。本実施例において、電源線固定部材４００に形成された開口４４２は、例えば、突出部３０８と結合されるリセスであることが望ましい。
【００６７】
このように、電源線固定部材４００にリセスのような開口４４２を形成し、収納容器３００の底面３０２に突出部３０８を形成することで、電源線固定部材４００及び突出部３０８は堅固に結合される。それとは異なり、電源線固定部材４００に突出部を形成し、収納容器３００の底面３０２に開口を形成して、電源線固定部材４００及び突出部３０８を堅固に結合することも可能である。
【００６８】
第１２実施例
図２４は、本発明の第１２実施例によるバックライト組立体の背面図である。図２５は、図２４に示されたバックライト組立体を組み立てた状態の、ＩＸ−ＩＸ’線に沿った断面図である。本発明の第１２実施例によるバックライト組立体は、インバータモジュールを除いて第１実施例のバックライト組立体と同一である。従って、同一の構成要素に対しては第１実施例と同一の参照番号で示し、その重複説明を省略する。
【００６９】
図２４及び図２５に示すように、収納容器３００の底面３０２には、インバータモジュール６００が配置される。
インバータモジュール６００は、電源線２００に形成されたコネクタ２１０と接続され、電源線２００を介して光源１００から光を発生するための電源を提供する。
インバータモジュール６００は、インバータ６１０及びシールドケース６２０を含む。インバータ６１０は、直流電源を交流電源に変換し、印刷回路基板と類似した形状を有する。
【００７０】
一方、インバータ６１０及び収納容器３００の底面３０２が電気的にショートされることを防止するために、収納容器３００の底面３０２のうち、インバータ６１０と対応する部分には、少なくとも２つのボス３０９が突出される。ボス３０９は、インバータ６１０及び底面３０２を所定間隔だけ離間させる。一方、ボス３０９の上面には結合突起３０９ａが形成され、結合突起３０９ａは、ボス３０９に配置されたインバータ６１０が底面３０２上で動かないように固定する。
【００７１】
インバータ６１０には、ボス３０９の上面に形成された結合突起３０９ａと結合されるように、貫通孔６１２が形成される。
一方、インバータ６１０で光源１００に提供される電圧を発生中、インバータ６１０からは多量の電磁波が発生する。
電磁波を遮蔽するためのシールドケース６２０は、ケース底面６２２及びケース底面６２２に連結されたケース側壁６２４を含む。
シールドケース６２０は、インバータ６１０から発生した電磁波を遮断するために、インバータ６１０覆う。シールドケース６２０は、インバータ６１０から発生した電磁波を遮断して電磁波を熱などに変換させる。
【００７２】
本実施例において、シールドケース６２０のケース側壁６２４の端部は、収納容器３００の底面３０２に対して離間するように配置されることが望ましい。シールドケース６２０のケース側壁６２４を底面３０２に対して離間させると、インバータ６１０で発生した電磁波をより顕著に減少させることができる。
【００７３】
次に、本発明の表示装置について説明する。
第１３実施例
図２６は、本発明の第１３実施例による表示装置を背面から見た分解斜視図である。本発明の第１３実施例による表示装置は、表示パネル及びシャーシを除いて第１実施例〜第１２実施例として示したバックライト組立体のいずれかと同一である。従って、同一の構成要素に対しては、第１実施例〜第１２実施例と同一の参照符号で示し、その重複説明を省略することにする。
【００７４】
図２６に示すように、表示装置９００は、バックライト組立体５００、表示パネル７００及びトップシャーシ８００を含む。
バックライト組立体５００は、収納容器３００、収納容器３００に収納された光源１００、光源１００に印加される電源を提供するインバータモジュール６００、インバータモジュール６００で発生した電源を光源１００に伝達する電源線２００、電源線２００を１次的に固定する電源線固定部材４００及び電源線固定部材４００を収納容器３００に固定する結合部３１０を含む。
【００７５】
それに加えて、バックライト組立体５００は、収納容器３００の内部に配置され光源１００で発生した光の光学分布をより向上させるための導光板５１０、及び、該導光板５１０から出射された光の光学特性をより向上させる光学シート５２０をさらに含むことができる。
表示パネル７００は、薄膜トランジスタ基板７１０、液晶層（図示せず）及びカラーフィルタ基板７２０、駆動用プリント回路基板７３０を含む。
【００７６】
薄膜トランジスタ基板７１０は、複数個の画素電極がマトリックス形状に配置され、各画素電極には、薄膜トランジスタ基板が配置される。薄膜トランジスタ基板は、駆動用プリント回路基板７３０で発生した駆動信号を画素電極に印加する。
カラーフィルタ基板７２０は、複数個の画素電極と向き合う共通電極を含み、各画素電極と対応する位置に形成されたカラーフィルタを含む。
液晶層は、カラーフィルタ基板と薄膜トランジスタ基板との間に介在され、画素電極と共通電極との間に形成された電界差によって配列が変更され、変更された配列によって光の透過度を変更させる。
【００７７】
以上、詳細に説明したように、本発明によれば、光源に電気的に接続されて光源に電源電圧を供給する電源線を、指定された位置に堅固に固定させることができるので、電源線の取り扱いをより容易にし、かつ、電源線の断線及び破損を防止するという効果を奏することができる。
以上、本発明の実施例によって詳細に説明したが、本発明はこれに限定されず、本発明が属する技術分野において通常の知識を有する者であれば、本発明の技術思想から離れることなく、本発明を修正又は変更できる。
【図面の簡単な説明】
【００７８】
【図１】本発明の第１実施例によるバックライト組立体の背面から見た分解斜視図である。
【図２】図１のバックライト組立体の背面図である。
【図３】図１に示されたバックライト組立体のＩ−Ｉ’線に沿って切断した断面図である。
【図４】本発明の第１実施例による電源線固定部材の斜視図である。
【図５】図４に示された電源線固定部材のＩＩ−ＩＩ’線に沿って切断した断面図である。
【図６】図４に示された電源線固定部材の‘Ａ’部分の拡大図である。
【図７】本発明の第１実施例によるバックライト組立体の結合部を示した斜視図である。
【図８】本発明の第２実施例によるバックライト組立体の電源線固定部材及び結合部を示した断面図である。
【図９】本発明の第３実施例によるバックライト組立体の電源線固定部材及び結合部を示した断面図である。
【図１０】本発明の第４実施例によるバックライト組立体の電源線固定部材及び結合部を示した断面図である。
【図１１】本発明の第５実施例によるバックライト組立体の電源線固定部材及び結合部を示した斜視図である。
【図１２】図１１に示された電源線固定部材及び結合部のＩＩＩ−ＩＩＩ’線に沿って切断した断面図である。
【図１３】本発明の第６実施例によるバックライト組立体を示した断面図である。
【図１４】本発明の第７実施例によるバックライト組立体を示した斜視図である。
【図１５】図１４に示されたバックライト組立体をＩＶ−ＩＶ’線に沿って切断した断面図である。
【図１６】本発明の第８実施例によるバックライト組立体を示した斜視図である。
【図１７】図１６に示されたバックライト組立体をＶ−Ｖ’線に沿って切断した断面図である。
【図１８】本発明の第９実施例によるバックライト組立体を示した斜視図である。
【図１９】図１８に示されたバックライト組立体をＶＩ−ＶＩ’線に沿って切断した断面図である。
【図２０】本発明の第１０実施例によるバックライト組立体を示した斜視図である。
【図２１】図２０に示されたバックライト組立体をＶＩＩ−ＶＩＩ’線に沿って切断した断面図である。
【図２２】本発明の第１１実施例によるバックライト組立体を示した分解斜視図である。
【図２３】図２２に示されたバックライト組立体を組み立てた状態で、ＶＩＩＩ−ＶＩＩＩ’に沿って切断した断面図である。
【図２４】本発明の第１２実施例によるバックライト組立体の背面図である。
【図２５】図２４に示されたバックライト組立体を組み立てた状態で、ＩＸ−ＩＸ’線に沿って切断した断面図である。
【図２６】本発明の第１３実施例による表示装置を背面から見た分解斜視図である。
【符号の説明】
【００７９】
１００      光源
１１２      光源カバー
１１２ａ      第１カバー面
１１２ｂ      第２カバー面
１１２ｃ      第３カバー面
２００      電源線
３００      収納容器
３０２      底面
３０４      側壁
３０５      締結ネジ
３０９      ボス
３１０      結合部
３１２      第１固定片
３１４      第２固定片
３３０、３４０      固定ブラケット
３３４ａ      突出部
４００      電源線固定部材
４０２      固定突起
４０２ａ      開口
４１０      第１側面
４２０      第２側面
４３０      第２面
４３２      固定溝
４４０      第１面
５００      バックライト組立体
６００      インバータモジュール
６１０      インバータ
６２０      シールドケース
７００      表示パネル
８００      トップシャーシ
９００      表示装置
【図１】
2006147543.tif 000003
【図２】
2006147543.tif 000004
【図３】
2006147543.tif 000005
【図４】
2006147543.tif 000006
【図５】
2006147543.tif 000007
【図６】
2006147543.tif 000008
【図７】
2006147543.tif 000009
【図８】
2006147543.tif 000010
【図９】
2006147543.tif 000011
【図１０】
2006147543.tif 000012
【図１１】
2006147543.tif 000013
【図１２】
2006147543.tif 000014
【図１３】
2006147543.tif 000015
【図１４】
2006147543.tif 000016
【図１５】
2006147543.tif 000017
【図１６】
2006147543.tif 000018
【図１７】
2006147543.tif 000019
【図１８】
2006147543.tif 000020
【図１９】
2006147543.tif 000021
【図２０】
2006147543.tif 000022
【図２１】
2006147543.tif 000023
【図２２】
2006147543.tif 000024
【図２３】
2006147543.tif 000025
【図２４】
2006147543.tif 000026
【図２５】
2006147543.tif 000027
【図２６】
2006147543.tif 000028